(57)【要約】      （修正有）【課題】着脱可能に取り付けられる分離部材に、鉄粉や砂鉄などが磁着することのない身の回り品を提供する。特に、ゴルフのマーカーに、鉄粉や砂鉄などが磁着することがなく、綺麗な状態で使用できるようにする。【解決手段】身体若しくはその着用品に保持される基材２１と、該基材２１に対して着脱可能に取り付けられる分離部材１１とを備える身の回り品である。基材２１は、少なくとも基材の表面側に設けられた表面部３１と、身体若しくはその着用品に対する取付手段と、表面部３１よりも裏面側に配位された永久磁石２８とを備える。分離部材１１は、上記永久磁石に磁着する磁性体を備え、且つ、上記分離部材の表面側に装飾部を備え、表面部３１を介して永久磁石２８に分離部材１１を磁着させ着脱可能に取り付ける。【選択図】図３
0003165728.tif 000002
【実用新案登録請求の範囲】
【請求項１】
身体若しくはその着用品に保持される身の回り品において、
身体若しくはその着用品に保持される基材と、この基材に対して着脱可能に取り付けられる分離部材とを備え、
上記基材は、少なくとも基材の表面側に設けられた表面部と、身体若しくはその着用品に対する取付手段と、表面部よりも裏面側に配位された永久磁石とを備え、
上記分離部材は、上記永久磁石に磁着する磁性体を備え、且つ、上記分離部材の表面側に装飾部を備え、
上記表面部を介して上記永久磁石に上記分離部材を磁着させ、上記基材の表面部に上記分離部材を着脱可能に取り付けたことを特徴とする身の回り品。
【請求項２】
上記基材は、表面部に装飾が施されたキーホルダー、ブローチ、ペンダント、グリーンホーク、バックル、ネクタイピン又はブレスレットであり、
上記分離部材はゴルフマーカーであり、このゴルフマーカーは磁石を備えていないことを特徴とする請求項１記載の身の回り品。
【請求項３】
上記基材が、上記永久磁石の底面を支持する磁性体製の底部と、この底部から上方に伸びると共に上記の磁気通路となる磁性体製の縦通路部と、この縦通路部に設けられた収納凹部とを備え、この収納凹部内に上記の永久磁石が配位され、この永久磁石の上面及び上記縦通路部の上面に接触する磁性体製の蓋体とを備え、この蓋体の表面側に装飾が施された上記表面部が設けられ、上記表面部が印刷されたシールを備えており、上記底部、上記縦通路部及び上記蓋体が上記永久磁石の磁気通路となるものであることを特徴とする請求項１又は２記載の身の回り品。
【考案の詳細な説明】
【技術分野】
【０００１】
本願考案は、身体や、身体に着用する衣服、帽子、靴身などの着用品に保持されて使用される身の回り品に関するものである。
【背景技術】
【０００２】
特許文献１に示すように、着脱自在に係合することが可能に構成された一対の係合部材によって、装飾部材を基材に対して着脱可能に保持されることによって、装飾部材を交換可能にしたバッヂ等の装飾品が知られている。また、特許文献２に示すように、それぞれ非磁性体からなる身廻品基材および蓋と、身廻品基材に蓋により封じ込められる芳香体とからなり、身廻品基材に、蓋の落ち込みを受ける段差面が周囲に形成される空洞を設け、空洞の中央部に底面からの突条により芳香体の嵌着部を形成し、蓋の嵌込口の縁に蓋を外すための爪掛口を設け、蓋の嵌込口の縁部と、蓋の内面の周縁部とに、相互に吸着する磁石を均等な複数位置に嵌着し、さらに蓋には芳香体からの芳香が抜ける通気孔を形成したことを特徴とする身廻品の芳香装置が提案されている。
【０００３】
ところが、引用文献２のように、着脱される蓋（引用文献１の装飾部材に相当）に磁石を設ける場合、取り外している間に、鉄粉や砂鉄などのゴミが磁着されてしまう場合があり、汚れた装飾部材をそのまま取り付けてしまう場合がある。
【０００４】
【特許文献１】特開平１１−３３２６１８号公報
【特許文献２】特開２００２−３６９７０５号公報
【考案の開示】
【考案が解決しようとする課題】
【０００５】
本願考案は、着脱可能に取り付けられる分離部材に、鉄粉や砂鉄などが磁着することのない身の回り品を提供せんとする。特に、ゴルフのマーカーに、鉄粉や砂鉄などが磁着することがなく、綺麗な状態で使用できるようにすることを目的とする。
【課題を解決するための手段】
【０００６】
本願の請求項１に係る考案は、身体若しくはその着用品に保持される身の回り品において、
身体若しくはその着用品に保持される基材と、この基材に対して着脱可能に取り付けられる分離部材とを備え、
上記基材は、少なくとも基材の表面側に設けられた表面部と、身体若しくはその着用品に対する取付手段と、表面部よりも裏面側に配位された永久磁石とを備え、
上記分離部材は、上記永久磁石に磁着する磁性体を備え、且つ、上記分離部材の表面側に装飾部を備え、
上記表面部を介して上記永久磁石に上記分離部材を磁着させ、上記基材の表面部に上記分離部材を着脱可能に取り付けたことを特徴とする身の回り品を提供する。
本願の請求項２に係る考案は、上記基材は、表面部に装飾が施されたキーホルダー、ブローチ、ペンダント、グリーンホーク、バックル、ネクタイピン又はブレスレットであり、
上記分離部材はゴルフマーカーであり、このゴルフマーカーは磁石を備えていないことを特徴とする請求項１記載の身の回り品を提供する。
本願の請求項３に係る考案は、上記基材が、上記永久磁石の底面を支持する磁性体製の底部と、この底部から上方に伸びると共に上記の磁気通路となる磁性体製の縦通路部と、この縦通路部に設けられた収納凹部とを備え、この収納凹部内に上記の永久磁石が配位され、この永久磁石の上面及び上記縦通路部の上面に接触する磁性体製の蓋体とを備え、この蓋体の表面側に装飾が施された上記表面部が設けられ、上記表面部が印刷されたシールを備えており、上記底部、上記縦通路部及び上記蓋体が上記永久磁石の磁気通路となるものであることを特徴とする請求項１又は２記載の身の回り品を提供する。
【考案の効果】
【０００７】
本願考案は、身の回り品としての装飾性を害することなく、分離部材を基材に磁着させることができる。特に、表面部を介して上記永久磁石に上記分離部材を磁着させるものであるため、取り外しされる分離部材は、鉄などの強磁性体を用いるだけでよく、磁石を用いる必要はないため、砂鉄などのゴミが分離部材に付着することがない。
本願の請求項２に係る考案は、上記基材は、表面部に装飾が施されたキーホルダー、ブローチ、ペンダント、グリーンホーク、バックル、ネクタイピン又はブレスレットであり、
上記分離部材はゴルフマーカーであり、このゴルフマーカーは磁石を備えていないため、ゴルフマーカーを装飾品の一部として使用することができ、スポーツとファッションの両立を図ることができる。また、分離部材の表面には装飾部が配位され、基材の表面部に装飾が施されているため、両者の装飾による形成される模様が、基材と分離部材とが取り付けられた位置関係で変化するため、両者による模様の変化を楽しむこともできる。
本願の請求項３に係る考案は、基材全体が永久磁石の磁気通路となるように構成されているため、良好な磁着が実現できる。また、蓋体の表面側に装飾が施された上記表面部が設けられ、上記表面部が印刷されたシールを備えているため、印刷を変更することで様々な意匠を施すことがき、小ロット多品種の生産にも対応できるものである。
【図面の簡単な説明】
【０００８】
【図１】（Ａ）は本願考案の一実施の形態に係る身の回り品の分離状態の正面図であり、（Ｂ）は同身の回り品における基材とボールマーカーとを付着させた状態の正面図であり、（Ｃ）は他の実施の形態に係る身の回り品の斜視図である。
【図２】（Ａ）は同身の回り品機材分解図であり、（Ｂ）は蓋体の変形例を示すものである。
【図３】（Ａ）は同身の回り品の側面図であり、（Ｂ）は同身の回り品機材の断面図である。
【考案を実施するための最良の形態】
【０００９】
図１（Ａ）に示す実施の形態に係るネックレスは、分離部材であるマーカー１１と、このマーカー１１を磁着する永久磁石を有する基材２１とのセットである。マーカー１１は、鉄等の磁性体（永久磁石を除く強磁性体、以下同じ）製であり、円盤状等の適宜形状をなす。マーカー１１の下面は、特に基材２１と磁着するため、磁性体が露出していることが好ましいが、薄い樹脂皮膜や塗料やメッキなどが施されているものであってもよい。マーカー１１に永久磁石を配置した場合、グリーン上に置いた場合に、土中の砂鉄などを磁着してしまい、汚れた印象を与える。そのため、マーカー１１には永久永久磁石を用いないで、基材２１側のみに永久磁石を配置する。このマーカー１１の表面については、塗装、シールの貼りつけや、透明合成樹脂による被覆などの装飾部が形成される。
【００１０】
基材２１は、競技者の身体に取り付けて使用され、この基材２１にマーカー１１が着脱可能に磁着するようにしたものである。
この基材２１は、図２（Ａ）、図３（Ｂ）に示すように、基板２３と、この基板２３の外周に接続されたチェーンからなる取付手段２２と、基板２３内に配位された１個（若しくは複数個）の永久磁石２８と、基板２３の上面に配置される蓋体２９とを備える。このうち、基板２３と蓋体２９とは鉄等の磁性体製である。
【００１１】
基板２３は、平面視において、略円形であるが、この平面形状は、楕円形や多角形の他、マンガのキャラクターを模すなど、適宜適宜変更して実施できる。
この基板２３は、永久磁石２８の底面を支持する底部２４と、この底部２４から上方に伸びると共に永久磁石２８の磁気通路となる縦通路部２５と、この縦通路部２５に設けられた収納凹部２６とを備える。この収納凹部２６は、永久磁石２８と略同一の平面形状で同じ大きさをなしている。この収納凹部２６は、永久磁石２８の数に合わせて１個（若しくは複数個）設けられており、収納凹部２６の周囲に縦通路部２５が配位される。この例では、基板２３に有底の収納凹部２６を設けて、収納凹部２６の周囲全体を縦通路部２５とすると共に、底部２４を一体形成したものであるが、基板２３に収納凹部２６を貫通した穴として形成し、底部２４を磁性体などで別体に形成して、基板２３と底部２４とを後に接合して一体となしたものでもよい。永久磁石の数は、１個以上、２個、３個など、基材２１の大きさに応じて適宜変更して実施し得る。
【００１２】
次に、蓋体（表面部）２９は、この基板２３の上面に装着されるものであり、永久磁石２８の上面と縦通路部２５の上面とに接触する。これによって、底部２４、縦通路部２５及び蓋体２９からなる磁性体によって、永久磁石２８の磁気通路が形成される。特に、複数個の永久磁石２８の間に配位された縦通路部２５によって、両永久磁石２８に共用される磁気通路が形成されるため、強い磁着力が得られる。
【００１３】
この蓋体２９は、図２（Ａ）に示すように、平板状の蓋体２９の上にシール３１を貼り付けて模様や文字を表示したもであるが、図２（Ｂ）に示すようにプレス加工などによって凹凸３０を表面に形成して、模様や文字を表示してもよく、またペイントや印刷等を施してもよい。さらに、この例では、縦通路部２５には、蓋体２９が載置される上面の周囲に、上方に延設され縦通路部２５の外周を規定する周縁部２７が形成されている。この周縁部２７の内側に蓋体２９が配位され、その上面にエポキシ樹脂等の透明合成樹脂３２が流し込まれて固化することによって、蓋体２９上面が被覆され、基板２３との一体性が強化されている。
【００１４】
この身の回り品基材１１は、キーホルダー、ブローチ、ペンダント、グリーンホーク、バックル、ネクタイピン又はブレスレットなどの種々の身の回り品として実施することができ、それに応じて、取付手段２２も安全ピン、ねじ、クリップ、弾性変形によって挟持するものなど種々変更して実施することができる。図１（Ｃ）の例では、身の回り品基材１１がキーホルダーであり、取付手段２２は開閉可能な環状部を備えた取付部材として実施されている。また分離部材についても、マーカーの他、他の装飾性を備えた部材に変更して実施することができる。
【符号の説明】
【００１５】
１１  マーカー
２１  基材
２２  取付手段
２３  基板
２４  底部
２５  縦通路部
２６  収納凹部
２８  永久磁石
２９  蓋体
３０  凹凸
３１  シール
３２  透明合成樹脂
【図１】
0003165728.tif 000003
【図２】
0003165728.tif 000004
【図３】
0003165728.tif 000005